(57)【要約】【課題】植物成長抑制効果が確実にあり、しかも地山に対する施工性の優れた植物成長抑制マットと該マットの施工方法を提供すること。  【解決手段】水と空気を通すが植物の根を貫通させない空隙を有するシート状部材１の表面にセル壁２で複数の独立した開放空間（セル４）を形成した単位マット３の一部の周辺部に張出部１ａを設け、該張出部１ａに地山への敷き込み時に、隣接単位マット３を重ね、上から砂及び／又は土分を被せることで、植物が単位マット３、３の間から地上に出てくるのを抑制し、さらに木質材料を使った木質マットを単位マット上にあらかじめ載加することにより施工性を向上させる。【選択図】図１
2007129964.tif 000002
【特許請求の範囲】
【請求項１】
水と空気は通すが植物の根を貫通させない空隙を有する柔軟性のあるシート状部材と、その表面に複数の独立した開放空間を形成するセル壁とからなる地山敷き込み用の植物成長抑制マットであって、
前記セル壁は前記シート部材のなす平面の少なくとも一部の周辺部より内側に設けられ、前記セル壁がない周辺部にあるシート部材の平面部分を、他の植物成長抑制マットのシート部材の平面部分との重ね代としたことを特徴とする地山敷き込み用の植物成長抑制マット。
【請求項２】
前記セル壁として、木質材料の積層体からなる木質マットの表面に薄皮を残して設けた碁盤の目状の切り込み又は前記木質マットの表面に設けた凹部に入れ込んで得られる樹脂層から構成し、該セル壁となる樹脂層部分と重ね代となる部分以外の前記シート状部材とを接着させて得られることを特徴とする請求項１記載の地山敷き込み用の植物成長抑制マット。
【請求項３】
請求項１に記載の地山敷き込み用の一つの植物成長抑制マットを地山に張り付け、該植物成長抑制マットのセル壁がない周辺部にあるシート部材の重ね代を地山に固定し、該シート部材の重ね代部分に他の植物成長抑制マットの周辺部にセル壁が有る部分を重ねて前記２つの植物成長抑制マットのセル壁同士を配置することを順次全ての植物成長抑制マットで繰り返して地山に敷き込み、全ての植物成長抑制マット上に砂及び／又は土分を配することを特徴とする植物成長抑制マットの施工方法。
【請求項４】
請求項２に記載の地山敷き込み用の一つの植物成長抑制マットを地山に張り付け、該植物成長抑制マットのセル壁がない周辺部にあるシート部材の重ね代を地山に固定し、該シート部材の重ね代部分に他の植物成長抑制マットの周辺部にセル壁が有る部分を重ねて前記２つの植物成長抑制マットのセル壁同士を配置することを順次全ての植物成長抑制マットで繰り返して地山に敷き込むことを特徴とする植物成長抑制マットの施工方法。
【発明の詳細な説明】
【技術分野】
【０００１】
特定の地山における平坦地、緩斜面において植物の成長を物理的に調整し得る地山敷き込み用の植物成長抑制マット及び該マットの施工方法などに関する。
【背景技術】
【０００２】
自然の地山において人間と自然が共生する地域において草木等の植物が繁殖し過ぎて通行妨害、視認妨害及び景観支障を引き起こしている。
【０００３】
従来のこれらの障害に対処する方法は草刈り又は除草剤を散布する方法が一般的である。その他に地山へコンクリート等を被覆することによって植物の根が地山表面に生息できないようにして植物を排除する方法、又は木の皮、木材チップ、マルチシートなどを地山表面に敷き込み、光を遮断して植物の成長のための光合成を止める方法又は地表面上の真砂土をセメント等で固め、植物の根の貫通抵抗を大きくして根を張りにくくする方法、更に砂利や砂で地表を被覆して水分や養分を地表に滞留させずに植物の発芽、成長を止める方法などがある。
【０００４】
また、本出願人は特許２７５６０９５号公報記載の植物成長抑制マットと該マットを利用する緑化工法を開発した。この植物成長抑制マットを利用する工法は自然の景観を残したままで、前記した課題を解決して草刈り等の維持管理を低減する方法である。図９に特許２７５６０９５号公報記載の植物成長抑制マットの平面図（図９（ａ））と一部断面図（図９（ｂ））を示す。また、図８（ａ）には地山の傾斜面に当該マットを施工した場合の状態を示し、図８（ｂ）には地山の平地に当該マットを施工した場合の状態を示す。
【０００５】
図９に示すように前記植物成長抑制マット２０は、地山の上に水と空気は通すが根は貫通できない防根シート２１を設け、その上に平面視で円形又は矩形などの狭い領域２４（以下セル２４と呼ぶ）に仕切り、植物の根の貫通しないセル壁２２を複数形成した碁盤の目状体を接着して一体化したものである。
【０００６】
この植物成長抑制マット２０を地山にアンカー１３等で張り付けて表面に薄く砂及び／又は土１７をかぶせると、飛来してきたあるいは土中に潜む雑草種子が雨水を受けて発根、発芽するが、植物成長抑制マット２０の底面は防根シート２１で根の地面に対して垂直方向への伸張が抑制される。さらに防根シート２１上に形成される各セル２４はセル壁２２で仕切られるため植物の根が横方向に張り出しにくく、成長が抑制される。
【０００７】
この性状を有するマット２０を地表面１７ａの１〜３ｃｍ下に設置すると、セル２４の上方に配した土内の栄養分や水分はセル壁２２に遮断されて他のセル２４には供給されず、制約のない自然の地山で成長する植物より背高、太さが共に小さくなってしまう。このようにマット２０の上部の植物はセル２４の大きさによって大きく成長抑制を受け、さらにマット２０の下方の地中にある既存の植物は防根シート２１の光を通さない性状から光合成ができず成長を阻害されてしまう。
【０００８】
例えば、図８（ａ）に示すガードレール１８付きの道路、鉄道の沿線、宅地周り、緑地帯周り又は図８（ｂ）に示す平地の公園などの自然地山と人間の生活地との共生する特定部分に平面的に当該マット２０をアンカー１３で固定して配することで、草刈り等の多大な維持管理を低減することができる。さらに当該マット２０のセル２４内に砂及び／又は土１７を充填しているので、砂及び／又は土１７が表面に見え自然景観を害することが無く、また、除草剤を使う場合と比べて環境負荷が少ないというものである。
【特許文献１】特開平３−８００２５号公報
【特許文献２】特開平６−４６６７２号公報
【特許文献３】特許２７５６０９５号公報
【発明の開示】
【発明が解決しようとする課題】
【０００９】
前記従来から行われている、地山で植物の成長を抑制するための各種方法にはそれぞれ次のような問題点がある。  
繁殖し過ぎた草木は、草刈りを行うことで見栄えを良くするのが一般的であるが、夏日の暑い時期には大変な重労働であり、少子高齢化の昨今は労働人口が不足していることから草刈りの負担が大きい。また除草剤散布により草木を除く方法は、安価であるが薬剤による環境負荷が大きいことが問題視されている。さらにコンクリートブロック等で地表を被覆して草木の繁殖を抑えることは、確実であるがコスト面、景観面で問題がある。
【００１０】
また、木材チップ等で地表を被覆して草木の生育抑制を図る方法は経済的であり、景観も良いが、草木生育抑制効果がある年数が限られる。またこの方法ではタバコの投げ捨て等が原因で火災が起きる可能性が高い。さらに光を遮断するマルチシートを地表に張り付ける方法は、施工が簡単で経済的であるが、マルチシートが紫外線等により劣化破断し、飛散することまたはタバコ等による火災の発生の可能性があること、さらには景観上違和感があることなどから問題点が多い方法である。
【００１１】
また本出願人の発明になる特許第２７５６０９５号の植物成長抑制マット２０（図８）を利用する工法は自然の景観を残したままで前記した課題を解決して草刈り等の維持管理を低減する方法であるが、数々の実験の結果、地中の雑草の芽の繁殖力が強いと隣接位置にある当該マット２０，２０の張り合わせた部分からの光の漏れを雑草が探して立ち上がってくることがある。さらにはアンカー１３をマット２０に差し込む時にできる穴の隙間からも雑草が立ち上がってきていることがある。一度、雑草が光を受けると大きく成長し、当該マット２０を持ち上げることもあることが分かった。
【００１２】
さらに傾斜地面上に複数のマット２０を張り付けた際、マット２０上にある植物の根は垂直に伸張しようとする。その際、隣接したマット２０，２０の前記張り合せ部分にできた隙間部分が地面から上方に向けてマット２０を貫通する隙間となり、この狭い隙間から雑草の根に水分、栄養分を多く補給できるため、マット２０上の植物より大きく成長する不具合があった。
【００１３】
本発明の課題は、植物成長抑制効果が確実にあり、しかも地山（平坦地、地山切り取り後の地山斜面、盛り土した造成地の斜面など）に対する施工性の優れた植物成長抑制マットと該マットの施工方法を提供することである。
【課題を解決するための手段】
【００１４】
本発明の上記課題は次の解決手段により解決される。  
請求項１記載の発明は、水と空気は通すが植物の根を貫通させない空隙を有する柔軟性のあるシート状部材と、その表面に複数の独立した開放空間を形成するセル壁とからなる地山敷き込み用の植物成長抑制マットであって、前記セル壁は前記シート部材のなす平面の少なくとも一部の周辺部より内側に設けられ、前記セル壁がない周辺部にあるシート部材の平面部分を、他の植物成長抑制マットのシート部材の平面部分との重ね代とした地山敷き込み用の植物成長抑制マットである。
【００１５】
請求項２記載の発明は、前記セル壁として、木質材料の積層体からなる木質マットの表面に薄皮を残して設けた碁盤の目状の切り込み又は前記木質マットの表面に設けた凹部に入れ込んで得られる樹脂層から構成し、該セル壁となる樹脂層部分と重ね代となる部分以外の前記シート状部材とを接着させて得られる請求項１記載の地山敷き込み用の植物成長抑制マットである。
【００１６】
請求項２記載の地山敷き込み用の一つの植物成長抑制マット（単位マット）は、請求項１記載のシート部材とセル壁で構成される単位マット上に被せる砂および／又は土分の替わりに木質系材料を構成材料とする木質材料成形体（木質マット）を取り付けた構成に対応し、この単位マットは、重ね代以外のシート部材上に設けられる複数のセル壁がある部分に木質マットを接着した構成であり、予め工場で作製できる。
【００１７】
請求項３記載の発明は、請求項１に記載の地山敷き込み用の一つの植物成長抑制マットを地山に張り付け、該植物成長抑制マットのセル壁がない周辺部にあるシート部材の重ね代を地山に固定し、該シート部材の重ね代部分に他の植物成長抑制マットの周辺部にセル壁が有る部分を重ねて前記２つの植物成長抑制マットのセル壁同士を配置することを順次全ての植物成長抑制マットで繰り返して地山に敷き込み、全ての植物成長抑制マット上に砂及び／又は土分を配する植物成長抑制マットの施工方法である。
【００１８】
請求項４記載の発明は、請求項２に記載の地山敷き込み用の一つの植物成長抑制マットを地山に張り付け、該植物成長抑制マットのセル壁がない周辺部にあるシート部材の重ね代を地山に固定し、該シート部材の重ね代部分に他の植物成長抑制マットの周辺部にセル壁が有る部分を重ねて前記２つの植物成長抑制マットのセル壁同士を配置することを順次全ての植物成長抑制マットで繰り返して地山に敷き込む植物成長抑制マットの施工方法である。
【００１９】
なお、本発明の植物成長抑制マットの形状は平面視で四角形とすることが多く、その場合の前記重ね代はシート部材のなす平面の少なくとも一辺又は二辺に設けることができる。  
また、本明細書の地山とは平坦地、地山切り取り後の地山傾斜面、盛土した造成地の傾斜面などをいう。
【発明の効果】
【００２０】
請求項１、３記載の発明によれば、一つの植物成長抑制マット（これを単位マットということにする）のセル壁はシート部材のなす平面の少なくとも一部の周辺部より内側に設けられているため、当該周辺部のシート部材の重ね代部分が張り出している。そのため、複数の単位マットを地山に敷き詰める際に各単位マットの張り出しているシート部材の周辺部の平面部分と他の植物成長抑制マットの周辺部にセル壁が有る部分を重ねることで複数の単位マットを連携して敷き詰めることができる。前記重ねたシート部材の周辺部は二重のシート部材から構成されているので、前記重ねた部分から地中に光りが漏れ出るおそれがなく、そのため複数の単位マットを重ねて敷き詰めることで地中にある植物の発芽を完全に抑えることができる。
【００２１】
請求項２、４の記載の発明によれば、単位マットのシート部材上の木質マット部分から地中に光りが漏れ出るおそれがなく、そのため単位マットの重ね代部分に隣接する単位マットを重ねて、順次敷き詰めることで地中にある植物の発芽を完全に抑えることができる。また、施工現場で後から砂及び／又は土分を運搬してマット上にこれらを被せる必要がない。さらに木質マットをシート部材に接着することで砂および／又は土分に比較して等厚にし易く、管理も楽であり、施工がより簡単である。また、前記セル壁として、木質材料の積層体からなる木質マットの表面に薄皮を残して設けた碁盤の目状の切り込み又は前記木質マットの表面に設けた凹部に入れ込んで得られる樹脂層から構成し、該セル壁となる樹脂層と前記シート状部材とを接着させるので、マット製造時にセル壁を形成するために用いるセル枠の金型が不要となる他、砂および／又は土分の替わりの木質マットとシート状部材との接着面積が多くなり、斜面に施工した場合、土分としての木質材料の流失が少なくなる。
【発明を実施するための最良の形態】
【００２２】
本発明の実施例について以下図面と共に説明する。  
【実施例１】
【００２３】
図１に本実施例の植物成長抑制マットの斜視図（図１（ａ））及び断面図（図１（ｂ））を示す。  
水と空気は通すが植物の根を貫通させない空隙を備えた材質を用いて層状にしたシート状部材１の上に独立した狭い開放空間であるセル４をセル壁２により形成する。このセル４の大きさは成長抑制したい植物種にもよるので特定できないが深さ５〜５０ｍｍ×横幅１０〜５０ｍｍ×縦幅１０〜５０ｍｍの容積を持ち、セル壁２自体は高さ５〜５０ｍｍ×厚さ２ｍｍ程度である。通常は、セル４の深さ約１５ｍｍ、縦横幅約２０ｍｍの内寸法のものを使用している。
【００２４】
この碁盤の目状のセル壁２を設けた平面形状が概略四角形の植物成長抑制マットの単位マット（以下、このマットを単位マットという。）３を形成する。この単位マット３の大きさは任意であるが工場で製作できる大きさである。本実施例では５０ｃｍ四角のものを使用している。そのとき、概略四角形の単位マット３の周りの二辺に重ね代として幅５ｃｍ〜１５ｃｍ程度のシート状部材１の張出部１ａを設ける。当該シート状部材１は碁盤の目状のセル壁２の下の層と同じ、水と空気は通すが根を貫通させない材質のものである。図１に示すシート状部材１は市販で園芸用に使用される防根シート（東レ株式会社製、商品名アクスター）を使用したが、水と空気は通すが、根を貫通させない層を形成するものならどのような材質のものでも良い。
【００２５】
前記市販品の防根シートは樹脂繊維をランダムに平面状に置いて目付重量で管理して圧着してできたものであるが、これと同様に砂や樹脂のほぼ同一径の粒子にセメントや接着剤をコーティングした材料を圧着しても、同じように水と空気は通すが根の貫通できない空隙を備えたシート状部材１が得られる。これは昨今よく目にする既知の透水性舗装の表層と類似して水と空気だけを通す構造である。
【００２６】
また、前記シート状部材１から独立した狭い空間（セル）４を複数持つセル壁２を備えた単位マット３を作製するためには、次のような方法がある。  
まず、複数のセル壁２を作製するための碁盤の目状の枠体を合成樹脂の射出成形で予め作っておく。この複数のセル壁２用の枠体は前記シート状部材１上に張り付けてセル壁２を一度に作製するためのものである。射出成形で得られた前記枠体を前記シート状部材１に重ね代を残して貼り付ける。この貼り付ける方法は樹脂製の接着剤（例、ＥＶＡなど）でも良いし、成形金型を前述シート状部材１に直接押さえつけて射出成形しながらセル壁を構成する樹脂と同一樹脂をシート状部材の空隙に染みこませるように接着しても良い。
【００２７】
このセル壁２をなす枠体の材料はプラスチック樹脂を使用しているがゴム類でも、又はセメントのような無機質材料などでも良く、成形できて植物の根が侵入できない強度があればその材料は限定されない。また、当該枠体の材質は一体の固形物（空隙を内包しない密な一体の固形物、以下一体の固形物と表現する。）に限らない。
【００２８】
図２には各種の方法で得るセル壁２部分のある部分の単位マット３の断面図を示す。  
図２（ａ）は不織布からなるシート部材１の一部を織り込んでセル壁２を作製した物、図２（ｂ）は不織布をランダムに積層した材料からなるシート部材１の表面から金型でプレスしてシート状部材１上にセル壁２を作製した物である。また、図２（ｃ）は、砂や樹脂のほぼ同一径の粒子にセメントや接着剤をコーテイングした材料を用いて作製した、水と空気は通すが根の貫通できない空隙を備えたシート状部材１の表面の一部を金型で圧着してシート状部材１上にセル壁２を作製した物、図２（ｄ）は、市販品の防根シートをシート状部材１として、その表面に砂や樹脂のほぼ同一径の粒子にセメントや接着剤をコーテイングした材料を圧着して、セル壁２として接着した物である。これらのセル壁２の材質は一体固形物に限らず、空隙のある繊維でもポーラス状の物も植物の根が貫通しない物ならどのような物を用いても良い。
【００２９】
このとき、単位マット３の周囲部のシート状部材１の二辺に地山に張り付ける際の重ね代として５ｃｍから１５ｃｍの幅のシート状の張出部１ａを設ける。この張出部１ａの材質は水と空気は通すが、植物の根を貫通させない材質のものであれば、単位マット３の下層及びセル壁２と同じ材質でなくとも別な材質のものを隣り合う前記二辺に重ね代として後で張り付けても良い。従ってシート部材１の張出部１ａは一体成形物でなくとも良い。
【００３０】
次に、上記単位マット３を地山面に設置する植物成長抑制マットの施工方法について説明する。  
雑草を過繁殖させたくない地山の表面をあらかじめ削り均し、単位マット３を張り付ける。このとき、独立したセル壁２で囲まれたセル４の開放側が上に向くように配置し、単位マット３の底面の水と空気は通すが植物の根は貫通しないシート状部材１が地山と接触するように張り付ける。そして図３（ａ）に示すように前述の重ね代となる張出部１ａを底にして別の単位マット３の重ね代の無い部分のセル壁２を、前記最初の地山面に敷き詰めた単位マット３のセル壁２に隣接させて配置する。
【００３１】
さらに、図３（ｂ）に示すように地山が傾斜地であれば、重ね代となる張出部１ａは傾斜地の上側方向に張り出すように配置する。その理由を図３（ｂ）の傾斜地山に配置されるマット３の縦断面図で説明する。
【００３２】
地中にある植物の芽は垂直上方向に伸びる性質があるので、重ね代となる張出部１ａが傾斜地の上側面にあると芽は矢印Ａのように単位マット３の張出部１ａに沿って地上に出ることなく、地中に誘導される。しかし、単位マット３の張出部１ａを傾斜地の下側方向に張り出すように配置すると、前記張出部１ａとその上の別の単位マット３の間へ芽が入っていき、隙間から地上に発芽してしまうことが実験の結果明らかになった。
【００３３】
また、地山と単位マット３との固定はアンカー１３（図８参照）で行うが、前記重ね代となる張出部１ａ部分の位置でアンカー１３を用いて地山に単位マット３を固定すると隣接位置の単位マット３との連携を保ちながら地山へ固定できるので好ましい。
【００３４】
一つの単位マット３の二辺に設けた張出部１ａを地山面に張り付け、前記張出部１ａの上に別の単位マット３の張出部１ａのないセル壁２を重ねて要所の張出部１ａと張り出し部のないセル壁２を同時に貫くようにアンカー１３を打ち込み、地山に単位マット３，３を固定する。このとき、単位マット３の張出部１ａ上では２つの単位マット３，３のセル壁２，２同士が近くに隣接し、その隙間には地面に接して前述の張り出し部１ａの一部が存在して配置されることになる。このため前記隙間部分が地表面に露出することがないので、この隙間部分でも、他のマット３の領域と同じような植物成長抑制効果が得られる。
【００３５】
このように多数の単位マット３を地山に敷き込みながら、要所の張出部１ａと張り出しの無いセル壁２にアンカー１３を打ち込んで地山と固定し、単位マット３上の全体にほぼ等しい厚さで砂及び／土分を被せる。
【００３６】
また、平坦地へ単位マット３を施工するときなど、単位マット３上へ砂及び／又は土分を被せるので単位マット３の自重に加えて、その土分の重みで単位マット３が移動しない場合もあり、アンカー１３を必ずしも設ける必要のない場合がある。
【００３７】
上記砂とは山砂、海砂、砕石砂、鉱滓、細砂利等の無機質分で多数の狭い開放空間であるセル４に入り込む粒径を有するものをいい、土分とは有機質分を含む微細粒径の無機質分をいうが、例えば無機質分としては真砂土、火山灰等も含み、さらに将来、土となりうる木材、雑草、樹皮等、あるいはこれらで作られたボード、マット状のものなども含む。
【００３８】
また、当該土分の厚みはセル壁２の高さも含めて１ｃｍから５ｃｍ程度に設定する。この厚みによって単位マット３の植物成長抑制作用が調整される。実験によるとセル壁２の高さ１．５ｃｍとし、その上に厚さ１ｃｍ程度の被り真砂土を被せると、ほとんど芝類は生息できない。
【００３９】
使用する土分の種類、施工場所の降雨等の水分量にもよるが、この被り土が薄くなれば植物の根の広がり成長も厳しく抑制され、反対に厚みが厚くなると抑制力が緩くなる。あるいはセル４の開放空間の大きさを大きくしたり、小さくしたりすることでも、植物成長抑制力を調整することができる。
【実施例２】
【００４０】
本実施例は図４に示す木質マット１０を利用して、図７に示すシート部材１とセル壁２からなる単位マットを以下に述べる手順で作製する。このとき図４に示す木質マット１０は、実施例１で説明した砂及び／又は土分と同じ機能を奏するので、そのまま砂及び／又は土分の代替品として利用する。図４には、本実施例により得られる木質繊維成形体である木質マット１０の斜視図を示す。
【００４１】
木質材料で構成した木質マット１０は、一番簡単な方法として市販の園芸用に使われるヤシの実の繊維をほぐし積層し、蒸気を用いて加熱しながらプレスして出来たマット素材を用意し、このマット素材の薄皮を残して複数並列に並んだ丸ノコ盤で縦横に交差させて切断することで図４の斜視図のような碁盤の目状に溝部１５がある木質マット１０とする。この木質マット１０の材料は木材の柱などを取った残材料の樹皮、残木材又は刈り取った草を粉砕したものでも良い。おがくずも同様に利用でき、これらを利用することで、廃棄物の有効利用に役立つ。
【００４２】
繊維長の長い材料は、熱蒸気とプレス又はホットプレスで前記マット素材とすることができるが、短繊維又は粉状の材料は、熱可塑性樹脂粉(既知バインダー、ＰＰ、ＰＥ、ＥＶＡなどの樹脂)を混入したり、熱可塑性樹脂繊維（ＰＰ、ＰＥ、ＥＶＡなどの樹脂繊維）を混入させ、ホットプレスしても前記マット素材が得られる。
【００４３】
繊維長の比較的長い材料を前記ホットプレスする際に、セル壁２を構成する枠体と同寸法の鋼製網体（図示せず）を介在させてホットプレスすると、図５の木質マット１０の断面図に示すように前記薄皮を残して複数並列に並んだ碁盤の目状の溝部１５を備えた木質マット１０が得られる。
【００４４】
次いで、得られた前記溝部１５に溶融した合成樹脂（例えばＥＶＡ樹脂を使用する。このＥＶＡ樹脂は融点が低く、シート状部材１にも浸透し易い。また溶融温度の設定次第では、より安価な材料ＰＰなどの他の樹脂が利用できる。）を木質マット１０の要部断面図である図６（ａ）に示すように流し込み、溶融した合成樹脂層１９が硬化しない間に上から水と空気は通すが植物の根を貫通させない空隙を有する柔軟性のある実施例１で用いたシート状部材（又は市販防根シート）１を前述の重ね代（張出部１ａ）を残して張り付けて地山敷き込み用の植物成長抑制マットとする。
【００４５】
また、前記鋼製網体の底部（マット素材を押圧する面）に間隔をあけて複数の鋭角刃を取り付けておき、これを用いてマット素材を押圧すると図６（ｂ）の木質マット１０の要部断面図に示すような切断溝部穴１５−１が溝部１５の他に得られ、溝部１５と切断溝部穴１５−１に前記溶融した合成樹脂を流し込み、溶融した合成樹脂層１９が硬化しない間にシート状部材（又は市販防根シート）１を前述の重ね代を残して張り付ける。
【００４６】
合成樹脂が硬化した後にシート状部材（又は市販防根シート）１を下にすると、前記硬化した合成樹脂層１９は実施例１で説明したセル壁２に相当する構成となり、図７の局部断面図に示す植物成長抑制マットが得られ、シート状部材（又は市販防根シート）１の上に木質繊維からなる木質マット１０を載置した構造となり、当該木質マット１０部分が実施例１で説明した砂及び／又は土分に相当する。
【００４７】
従って、本実施例の植物成長抑制マットを地山に隙間無く並べて、地山面に沿って張り付け、要所の張り出し部１ａにアンカー１３を打ち込み地山と固定するだけで、施工表面の木質マット１０が土に見えて自然景観を保持し、斜面に設置しても土分の流失の少ない安定した植物成長抑制効果が得られる。
【産業上の利用可能性】
【００４８】
本発明のマットを用いる工法は、道路、鉄道の沿線、宅地周辺の草刈り等の維持管理を減らす他、農業、林業、庭園等で本来生育させたい植物の周りに施工することで周りの雑草に地中の栄養分を取られず、地中の水分の過蒸散を押さえて生育させたい植物の成長を促進することができる。また、山を当該工法の中の砂を被せることによって仕切ると、ほとんど不毛の帯地帯ができ、山火事の防火帯、木材の搬出通路にも利用できる可能性がある。
【図面の簡単な説明】
【００４９】
【図１】本発明の実施例１の植物成長抑制マットの斜視図（図１（ａ））と断面図（図１（ｂ））である。
【図２】本発明の実施例１の植物成長抑制マットの部分断面図である。
【図３】本発明の実施例１の植物成長抑制マットの斜視図（図３（ａ））とマット施工時の断面図（図３（ｂ））である。
【図４】本発明の実施例２の植物成長抑制マットに用いる木質マットの斜視図を示す。
【図５】図４の木質マットの断面概念図である。
【図６】図４に示す木質マットにできた凹部に合成樹脂を流し込んだ後にシート状部材を張り付けるステップを説明する植物成長抑制マットの局部断面図である。
【図７】図６に示す木質マットにできた凹部に合成樹脂を流し込んだ後にシート状部材を張り付けて得られる植物成長抑制マットの局部断面図である。
【図８】植物成長抑制マットの地山傾斜面への施工状態を説明する図（図８（ａ））と地山平地面への施工状態を説明する図（図８（ｂ））である。
【図９】従来技術の植物成長抑制マットの平面図（図９（ａ））と断面図（図９（ｂ））である。
【符号の説明】
【００５０】
１  シート状部材            １ａ  張出部
２  セル壁                  ３  植物成長抑制マット
４  セル                    １０  木質マット
１３  アンカー              １５  溝部
１５−１  切断溝部穴        １７  砂、土
１７ａ  地表面              １９  合成樹脂層
【図１】
2007129964.tif 000003
【図２】
2007129964.tif 000004
【図３】
2007129964.tif 000005
【図４】
2007129964.tif 000006
【図５】
2007129964.tif 000007
【図６】
2007129964.tif 000008
【図７】
2007129964.tif 000009
【図８】
2007129964.tif 000010
【図９】
2007129964.tif 000011